(57)【特許請求の範囲】
【請求項１】
洗浄水により洗浄される洋風便器本体と、該洋風便器本体の背後に設けられるベースプレートと、該ベースプレート上に設けられ、該洗浄水を貯留する洗浄タンクと、該ベースプレート上に設けられ、該洋風便器本体に種々の機能を付与可能な機能装置と、該洗浄タンク及び該機能装置を収納するタンクカバーと、該タンクカバーに揺動可能に設けられた便座装置とを備えた洋風水洗式便器において、
前記ベースプレートは、前記洋風便器本体に固定され、少なくとも前記洗浄タンクを載置する後部ベースプレートと、該後部ベースプレートに対して昇降装置により昇降可能に設けられ、前記タンクカバー全体が固定される前部ベースプレートとからなり、該タンクカバーと該タンクカバーを囲包する防露材との間には該タンクカバーの浮上時に生じる隙間を埋める凸部が設けられていることを特徴とする洋風水洗式便器。
【請求項２】
防露材に凸部が形成されていることを特徴とする請求項１記載の洋風水洗式便器。
【請求項３】
凸部は前後又は左右に設けられていることを特徴とする請求項１又は２記載の洋風水洗式便器。
【発明の詳細な説明】
【０００１】
【発明の属する技術分野】
本発明は洋風水洗式便器に関する。
【０００２】
【従来の技術】
一般的に、陶磁器製の洋風便器本体と、この洋風便器本体の背後に設けられたベースプレートと、ベースプレート上に設けられ、洗浄水を貯留する洗浄タンクと、ベースプレート上に設けられ、洋風便器本体の便鉢内を脱臭する脱臭装置等の機能装置とを備えた洋風水洗式便器が知られている。洗浄タンク及び機能装置はタンクカバーに収納されており、タンクカバーには便座及び便蓋からなる便座装置が揺動可能に設けられている。
【０００３】
この洋風水洗式便器では、使用者が用を足した後、操作スイッチを操作する等すれば、洗浄タンクから洋風便器本体へ洗浄水が供給され、洋風便器本体を洗浄することができる。また、脱臭装置等の機能装置が洋風便器本体に種々の機能を付与することができる。
【０００４】
【発明が解決しようとする課題】
しかし、上記従来の洋風水洗式便器では、ベースプレートが洋風便器本体に固定され、このベースプレート上に洗浄タンク、タンクカバー等が設けられている。このため、洋風便器本体の後部上面が僅かな隙間を残してそれらの部材で常に覆われ、その隙間を通じて尿等の汚れがその後部上面に付着した場合でも、その汚れを除去することが困難となっていた。このため、その汚れが原因となって異臭が発生するとともに不衛生ともなっていた。
【０００５】
この点、特開２０００−３３０５１号公報、特開２０００−１０４３０７号公報又は特開２００１−２３１７１５号公報に開示された洋風水洗式便器はその不具合を解消することができる。すなわち、これらの洋風水洗式便器では、ベースプレートは、洋風便器本体に固定され、少なくとも洗浄タンクを載置する後部ベースプレートと、この後部ベースプレートに対して昇降装置により昇降可能な前部ベースプレートとから構成されている。また、タンクカバーは、後部ベースプレートに固定される後部カバーと、前部ベースプレートに固定される前部カバーとから構成されている。これらの洋風水洗式便器では、前部ベースプレートを昇降装置によって上昇させれば、前部ベースプレートとともに前部カバーが上昇するため、洋風便器本体の後部上面を剥き出しにすることができる。このため、洋風便器本体の後部上面に付着している尿等の汚れを容易に除去することが可能となり、この汚れに起因する異臭の発生を防止することができるとともに衛生的ともなる。
【０００６】
しかしながら、上記各公報記載の洋風水洗式便器では、タンクカバーが後部カバーと前部カバーとから構成され、前部カバーのみが前部ベースプレートに固定されている。このため、前部ベースプレートを上昇させた場合、前部カバーのみが上昇する。この状態では、前部カバーが後部カバーと支え合うことはなく、前部カバーが不安定な状態で起立することとなる。特に、この種の洋風水洗式便器では、容易に昇降を行なうべく、肉厚が薄いことにより軽量化された前部カバーを採用しやすいことから、その場合にはその前部カバーは容易に撓んでしまう。このため、前部ベースプレートが上昇した状態で外部から前部カバーに過度の力が加わった場合、前部ベースプレートが前部カバーを固定する部分や前部カバー自身に変形を生じるおそれがあり、耐久性が危惧される。
【０００７】
この点、洋風便器本体に固定される後部ベースプレートと、この後部ベースプレートに対して昇降装置により昇降可能に設けられ、タンクカバー全体が固定される前部ベースプレートとからなるベースプレートを採用することも考えられる。こうであれば、前部ベースプレートによってタンクカバー全体が昇降されるため、前部カバーだけが昇降することによる低い耐久性を解決できる。
【０００８】
ところが、こうしてタンクカバー全体を上昇させるとしても、タンクカバーの浮上時には、タンクカバーとタンクカバー内に設けられた防露材等との間に隙間が生じやすい。通常、タンクカバーは美観等の観点から上方に向かうに従って先細りの形状をなしているからである。このため、タンクカバーを浮上させた状態でタンクカバーに外部から力が加わった場合、タンクカバーは防露材等によって内側から支えられることはなく、振動したり撓んだりするおそれがある。特に、この種の洋風水洗式便器では、容易に昇降を行なうべく、肉厚を薄くして軽量化されたタンクカバーが採用されやすいことから、その場合にはそのタンクカバーは容易に振動したり撓んだりしてしまう。このため、未だ前部ベースプレートがタンクカバーを固定する部分やタンクカバー自身に変形を生じるおそれがあり、耐久性が危惧される。
【０００９】
本発明は、上記従来の実情に鑑みてなされたものであり、異臭が発生し難いとともに衛生的であり、かつより耐久性に優れる洋風水洗式便器を提供することを解決すべき課題としている。
【００１０】
【課題を解決するための手段】
本発明の洋風水洗式便器は、洗浄水により洗浄される洋風便器本体と、該洋風便器本体の背後に設けられるベースプレートと、該ベースプレート上に設けられ、該洗浄水を貯留する洗浄タンクと、該ベースプレート上に設けられ、該洋風便器本体に種々の機能を付与可能な機能装置と、該洗浄タンク及び該機能装置を収納するタンクカバーと、該タンクカバーに揺動可能に設けられた便座装置とを備えた洋風水洗式便器において、
前記ベースプレートは、前記洋風便器本体に固定され、少なくとも前記洗浄タンクを載置する後部ベースプレートと、該後部ベースプレートに対して昇降装置により昇降可能に設けられ、前記タンクカバー全体が固定される前部ベースプレートとからなり、該タンクカバーと該タンクカバーを囲包する防露材との間には該タンクカバーの浮上時に生じる隙間を埋める凸部が設けられていることを特徴とする。
【００１１】
本発明の洋風水洗式便器では、洋風便器本体に固定された後部ベースプレートに対して昇降装置により昇降可能な前部ベースプレートにタンクカバー全体が固定されている。このため、前部ベースプレートを昇降装置によって上昇させれば、タンクカバー全体が上昇することとなり、これにより洋風便器本体の後部上面を剥き出しにすることができる。こうして、洋風便器本体の後部上面に付着している尿等の汚れを容易に除去することが可能となり、この汚れに起因する異臭の発生を防止することができるとともに衛生的ともなる。
【００１２】
また、この洋風水洗式便器では、タンクカバー全体が前部ベースプレートに固定されているため、前部ベースプレートを昇降装置により上昇させれば、タンクカバー全体が上昇する。このため、前部ベースプレートを上昇させた状態において、タンクカバーは、強度の大きな筒形状を保って起立することとなり、例えタンクカバーの肉厚が薄くされていても、容易に撓むことはない。このため、前部ベースプレートが上昇した状態で外部からタンクカバーに過度の力が加わった場合であっても、前部ベースプレートがタンクカバーを固定する部分やタンクカバー自身が変形し難く、優れた耐久性を発揮する。
【００１３】
さらに、この洋風水洗式便器では、タンクカバーの浮上時に生じる隙間をタンクカバーと防露材との間に設けられた凸部が埋める。このため、タンクカバーを浮上させた状態でタンクカバーに外部から力が加わったとしても、タンクカバーは凸部によって内側から支えられることになる。このため、前部ベースプレートがタンクカバーを固定する部分やタンクカバー自身がさらに変形し難くなり、さらに優れた耐久性を発揮する。
【００１４】
したがって、本発明の洋風水洗式便器は、異臭が発生し難いとともに衛生的であり、かつより耐久性に優れる。
【００１５】
洗浄タンクは防露材により囲包されてタンクカバー内に収納されている。洗浄タンクはタンクカバー内で大きな容積を占めているため、洗浄タンクが防露材により囲包された場合、防露材はタンクカバーに近接することとなる。このため、タンクカバーと防露材との間に設けられる凸部を小さくすることができ、ひいてはタンクカバーを小さくすることが可能となる。
【００１６】
この場合、防露材に凸部が形成されていることが好ましい。こうであれば、別に凸部を設ける必要がなく、部品点数の削減により、製造コストの低廉化を実現できる。また、防露材は、発泡ポリスチレン、発泡ポリウレタン等からなるため、弾性を有し、この防露材に凸部を形成すれば、タンクカバーに外部から加わる力が防露材によって吸収されることとなる。このため、タンクカバーの耐久性を極めて優れたものとすることができる。
【００１７】
凸部は前後又は左右に設けられていることが好ましい。こうであれば、タンクカバーが浮上した状態において、タンクカバーに外部から前後方向又は左右方向のどちら側から力が加わったとしても、タンクカバーは凸部によって内側から支えられることとなる。このため、タンクカバーの耐久性がさらに優れたものとなる。
【００１８】
【発明の実施の形態】
以下、本発明を具体化した実施形態を図面１〜５を参照しつつ説明する。
【００１９】
実施形態の洋風水洗式便器は、図１に示すように、陶磁器製の洋風便器本体１の背後にタンクカバー２が設けられている。タンクカバー２は、前方に位置する前部カバー２ａと、後方に位置する後部カバー２ｂとから構成されている。これら前部カバー２ａと後部カバー２ｂとは一体に組み付けられている。前部カバー２ａの下端の手前側には便座４ａ及び便蓋４ｂからなる便座装置４が揺動可能に取り付けられている。タンクカバー２内には洗浄タンク３が設けられている。タンクカバー２の上端には手洗鉢７がタンクカバー２と面一となるように載置されている。
【００２０】
タンクカバー２内には、図２に示すように、後部ベースプレート１０と前部ベースプレート１１と昇降装置１２とが備えられている。後部ベースプレート１０は洋風便器本体１（図１参照）の後部上面に固定されている。昇降装置１２は後部ベースプレート１０と前部ベースプレート１１との間に設けられており、前部ベースプレート１１はこの昇降装置１２により、後部ベースプレート１０に対して昇降可能とされている。前部ベースプレート１１に前部カバー２ａが固定され、タンクカバー２全体が前部ベースプレート１１とともに昇降可能になっている。また、タンクカバー２には、便座４ａ及び便蓋４ｂの図示しない自動開閉装置が固定されているとともに、洋風水洗式便器の使用者を検知する人体検知センサが固定され、前部ベースプレート１１には使用者の局部を洗浄可能な局部洗浄装置の洗浄ノズル５が固定されている。自動開閉装置、人体検知センサ、局部洗浄装置等が機能装置である。
【００２１】
後部ベースプレート１０には凹部１０ａが設けられており、凹部１０ａには、図３及び図５に示すように、洗浄タンク３が載置されている。洗浄タンク３は発泡ポリスチレンからなる防露材６によって囲包されている。防露材６の左右側の外面の上端略中央には、タンクカバー２側に突出した凸部６ａが形成されている。
【００２２】
以上のように構成された洋風水洗式便器では、通常の使用状態においては、図１に示すように、洋風便器本体１の後部上面が僅かな隙間を残してタンクカバー２に覆われている。この状態において、図２に示す昇降装置１２により、前部ベースプレート１１を上昇させれば、図３及び図４に示すように、前部ベースプレート１１に固定されたタンクカバー２全体が上昇する。これにより、自動開閉装置、洗浄ノズル５、人体検知センサ等も上昇する。こうして、洋風便器本体１の後部上面に付着している尿等の汚れを容易に除去することが可能となり、この汚れに起因する異臭の発生を防止することができるとともに衛生的ともなる。
【００２３】
この際、この洋風水洗式便器では、タンクカバー２は強度の大きな筒形状を保って起立することとなり、タンクカバー２は容易に撓むことはない。このため、前部ベースプレート１１が上昇した状態で外部からタンクカバー２に過度の力が加わった場合であっても、前部ベースプレート１１がタンクカバー２を固定する部分やタンクカバー２自身が変形し難くなり、優れた耐久性を発揮する。
【００２４】
また、この洋風水洗式便器では、図５に示すように、タンクカバー２の浮上時、タンクカバー２と防露材６との間に生じる隙間を防露材６に突設された両凸部６ａが埋める。このため、この状態でタンクカバー２に外部から力が加わったとしても、タンクカバー２は両凸部６ａによって内側から支えられることになる。この際、両凸部６ａは防露材６の左右側に設けられているため、タンクカバー２に加わる力が左右のどちら側からであっても、両凸部６ａによってそれを支えることができる。特に、防露材６は発泡ポリスチレンからなるため、弾性を有し、タンクカバー２に外部から加わる力が防露材６によって吸収されることとなる。このため、前部ベースプレート１１がタンクカバー２を固定する部分やタンクカバー２自身がさらに変形し難くなり、さらに優れた耐久性を発揮する。
【００２５】
また、この洋風水洗式便器では、タンクカバー２に近接する防露材６に凸部６ａを設けているため、両凸部６ａが小さく、タンクカバー２の大型化を生じていない。また、防露材６に凸部６ａが形成されているため、別に凸部を設ける必要がなく、部品点数の削減により、製造コストの低廉化を実現している。
【００２６】
したがって、この洋風水洗式便器は、異臭が発生し難いとともに衛生的であり、かつより耐久性に優れる。
【００２７】
なお、両凸部６ａを防露材６の前後側の外面に形成することも可能である。こうであれば、タンクカバー２が前後のどちら側から力を受けたとしても、両凸部６ａによって内側からそれを支えることができ、同様の効果を奏することができる。
【図面の簡単な説明】
【図１】実施形態の洋風水洗式便器の全体斜視図である。
【図２】実施形態の洋風水洗式便器に係る昇降装置等の分解斜視図である。
【図３】実施形態の洋風水洗式便器の一部縦断面図である。
【図４】実施形態の洋風水洗式便器に係り、タンクカバーが上昇した状態の全体斜視図である。
【図５】実施形態の洋風水洗式便器に係り、タンクカバーが上昇した状態の一部縦断面図である。
【符号の説明】
１…洋風便器本体
１０、１１…ベースプレート（１０…後部ベースプレート、１１…前部ベースプレート）
３…洗浄タンク
５…機能装置（洗浄ノズル）
２…タンクカバー（２ａ…前部カバー、２ｂ…後部カバー）
４…便座装置（４ａ…便座、４ｂ…便蓋）
１２…昇降装置
６…防露材
６ａ…凸部
【図１】
0003894427.tif 000002
【図２】
0003894427.tif 000003
【図３】
0003894427.tif 000004
【図４】
0003894427.tif 000005
【図５】
0003894427.tif 000006